(57)【要約】【課題】設置場所において、扉の姿勢保持および位置決めを簡便に行うことのできる昇降式吊戸棚を提供する。【解決手段】昇降式吊戸棚１１０は、キャビネット１７０と、キャビネット１７０に対して昇降可能に支持される昇降ラック１８０と、キャビネット１７０の前面に配置される下扉１７４と、キャビネット１７０の側面に平行な平板部２４４を有し、昇降ラック１８０の昇降に連動してキャビネット１７０の前面に沿って昇降可能な連結金具２４０と、平板部２４４に対する前後方向の位置を調節しつつ平板部２４４に重ねて取り付けられる前後可動片２４６、および、水平な水平片２５８を有する中継金具２４８と、下扉１７４に固定される固定片３１４、および、水平片２５８に対する上下左右方向の位置を調節しつつ水平片の上に重ねて取り付けられる上下左右可動片３１２を有する扉駆動金具３１０とを含む。【選択図】図４
2009011757.tif 000002
【特許請求の範囲】
【請求項１】
底面および前面が開放されたキャビネットと、
前記キャビネットに対して昇降可能に支持される昇降ラックと、
前記キャビネットの前面に配置される扉と、
前記キャビネットの側面に平行な平板部を有し、前記昇降ラックの昇降に連動して前記キャビネットの前面に沿って昇降可能な連結金具と、
前記平板部に対する前後方向の位置を調節しつつ該平板部に重ねて取り付けられる前後可動片、および、水平な水平片を有する中継金具と、
前記扉に固定される固定片、および、前記水平片に対する上下左右方向の位置を調節しつつ該水平片の上に重ねて取り付けられる上下左右可動片を有する扉駆動金具とを含むことを特徴とするキッチン用昇降式吊戸棚。
【請求項２】
前記中継金具の前後可動片には、前後方向に長い複数の前後長穴が垂直方向に並設されていて、
前記連結金具の平板部には、前記複数の前後長穴に対応する複数の前後調節ネジ穴が垂直方向に並設されていて、
該キッチン用昇降式吊戸棚はさらに、
前記複数の前後長穴の任意の位置に挿入され、さらに前記複数の前後調節ネジ穴に螺入されることにより前記前後可動片の前後方向の位置決めを行う前後調節ビスを含むことを特徴とする請求項１に記載のキッチン用昇降式吊戸棚。
【請求項３】
前記中継金具の水平片には上下調節ネジ穴および左右方向に長い左右長穴が設けられていて、
前記扉駆動金具の上下左右可動片には左右調節ネジ穴が設けられていて、
該キッチン用昇降式吊戸棚はさらに、
前記上下調節ネジ穴に下方から螺入され、さらに前記上下左右可動片に端部が当接することにより該上下左右可動片の上下方向の位置決めを行う上下調節ビスと、
前記左右長穴の任意の位置に下方から挿入され、さらに前記左右調節ネジ穴に螺入されることにより前記上下左右可動片の左右方向の位置決めを行う左右調節ビスとを含むことを特徴とする請求項１または２に記載のキッチン用昇降式吊戸棚。
【請求項４】
前記中継金具は、前記前後可動片の下端から前記キャビネットの内側に向かって前記水平片を延伸させていて、さらに、上端から前記キャビネットの内側に向かって水平に延伸する支持片を有し、
前記扉駆動金具は、前記固定片の下端から前記キャビネットの後方に向かって前記上下左右可動片を水平に延伸させていて、さらに、上端から前記キャビネットの後方に向かって水平に延伸し前記支持片の上に重なる搭載片を有し、
前記上下左右可動片および搭載片の端部からは、それぞれ、下方に向かって延伸する掛止片が設けられていることを特徴とする請求項３に記載のキッチン用昇降式吊戸棚。
【請求項５】
前記扉は、前記キャビネットの前面かつ下方に配置される下扉であり、
前記キャビネットの前面かつ上方に配置される上扉とともに、前記キャビネットの前面を被覆することを特徴とする請求項１から４までのいずれかに記載のキッチン用昇降式吊戸棚。
【発明の詳細な説明】
【技術分野】
【０００１】
本発明は、システムキッチンの上方の壁面に設けられる吊戸棚であって、内部に昇降ラックを収納するキッチン用昇降式吊戸棚に関するものである。
【背景技術】
【０００２】
厨房において、キッチン等の調理設備の上部には空間が空いているため、キッチンの上方に吊戸棚を設置している場合が多い。厨房では、碗、皿、カップ等の食器類、鍋、フライパン等の調理器具、塩、胡椒等の調味料など、大小様々な物を使用する。このため、これらの食器類、調理器具、調味料等は上記吊戸棚に収納される。
【０００３】
また、生活様式や食生活の多様化に伴って、上記した食器類、調理器具、調味料等は増加傾向にある。さらに昨今の高齢化に伴い、上記吊戸棚の使い勝手の良さや便利さ等を求める要望もある。
【０００４】
そこで、通常は上方に位置する棚（ラック）を手動や電動によって昇降する昇降式吊戸棚が提案されている。昇降式吊戸棚は、例えば吊戸棚全体が昇降するもの（例えば特許文献１）や、吊戸棚の前面に配置された扉を開けてから、吊戸棚内に設置された収納棚を回転アームで支持しながら手前側下方に引き降ろすもの（例えば特許文献２）、キャビネットと、このキャビネットからほぼ垂直方向に昇降可能な昇降ラックを備えたもの（例えば特許文献３）等がある。
【０００５】
特許文献１に記載された構成にあっては、吊戸棚全体が昇降するため昇降装置が大掛かりとなり、また駆動機構が外部から見えるために美感を向上しにくいという問題がある。また、特許文献２に記載された構成にあっては、引き降ろした収納棚が調理者に向かって迫り出して降りてくるため、調理作業の邪魔になり、頻繁に収納棚を出し入れしなければならず手間がかかるという問題がある。このため近年は、特許文献３に記載されたように、キャビネットからほぼ垂直方向に昇降可能な昇降ラックを備えた構成が多く採用されている。
【０００６】
しかし垂直方向に昇降させる構成においては、昇降ラックの前面を露出させるため、キャビネットの下方に昇降ラック全体をキャビネットから抜出するだけのストロークを要する。換言すれば、キッチンの上方から天井までの吊戸棚に使える空間のうち、半分の高さの吊戸棚しか設置できないことになる。また実際には昇降のための駆動機構をキャビネット内に設けなければならないため、さらに昇降ラックの容積は小さくなる。なお、一般家庭の天井の高さは一般的には２．３ｍ程度であり、キッチンの高さは８５ｃｍ程度である。さらにキッチンの上にはビンや小物ラックを置くための高さを残しておかなくてはならない。そして、残った上方空間の高さのうちの半分以下が昇降ラックの高さであるとすると、昇降ラックの容積が十分であるとはいえない。
【０００７】
そこで従来からも、キャビネットの前面扉を昇降ラックの上下動と連動させて開閉し、昇降ラックを降ろした状態において昇降ラックの上端がキャビネットの下端よりも上方に位置する構成が開示されている（例えば特許文献４）。この構成によれば、本来前面扉に隠れるはずの位置からも食器類を出し入れすることができるため、昇降ラック底面の高さを高くすることができ、限られた高さの上方空間において容積の大きな昇降ラックを設置することができる。
【特許文献１】特開平１１−４６８８６号公報
【特許文献２】特開２００４−２２２８８６号公報
【特許文献３】特開２００６−０００６７７号公報
【特許文献４】特開２００６−３４０７５６号公報
【発明の開示】
【発明が解決しようとする課題】
【０００８】
ところで、昇降式吊戸棚の前面扉は長大であるため、吊戸棚を設置すべきキッチンにおいて、初めてキャビネットに取り付けるのが、搬入および施工上、便利である。
【０００９】
しかしながら、設置場所にて、長大な前面扉を、完成時の垂直な姿勢に保ちつつ、キャビネットに対する位置決めを行い、所定の締結要素を締結する作業は、簡単ではない。また、作業者がかかる作業に習熟していたとしても、複数の人手が必要となってしまう。
【００１０】
本発明はこのような課題に鑑み、昇降式吊戸棚を設置すべきキッチンにおいて、前面扉の姿勢保持および位置決めを簡便に行うことのできる昇降式吊戸棚を提供することを目的とする。
【課題を解決するための手段】
【００１１】
上述の課題を解決するために、本発明によるキッチン用昇降式吊戸棚の代表的な構成では、底面および前面が開放されたキャビネットと、キャビネットに対して昇降可能に支持される昇降ラックと、キャビネットの前面に配置される扉と、キャビネットの側面に平行な平板部を有し、昇降ラックの昇降に連動してキャビネットの前面に沿って昇降可能な連結金具と、平板部に対する前後方向の位置を調節しつつ平板部に重ねて取り付けられる前後可動片、および、水平な水平片を有する中継金具と、扉に固定される固定片、および、水平片に対する上下左右方向の位置を調節しつつ水平片の上に重ねて取り付けられる上下左右可動片を有する扉駆動金具とを含むことを特徴とする。
【００１２】
上記の構成によれば、前後可動片による前後方向の位置調節によって、キャビネットに対する扉の前後方向の位置が調節される。また、上下左右可動片による上下左右方向の位置調節によって、キャビネットに対する扉の上下左右法王の位置が調節される。これらの位置調節により、扉は、キャビネットに対して自由に位置決めすることが可能となっている。
【００１３】
また、上述の中継金具の前後可動片には、前後方向に長い複数の前後長穴が垂直方向に並設されていて、連結金具の平板部には、複数の前後長穴に対応する複数の前後調節ネジ穴が垂直方向に並設されていて、キッチン用昇降式吊戸棚はさらに、複数の前後長穴の任意の位置に挿入され、さらに複数の前後調節ネジ穴に螺入されることにより前後可動片の前後方向の位置決めを行う前後調節ビスを含むとよい。
【００１４】
上記の構成によれば、中継金具という軽量な金具のみの前後位置を調節するだけで、扉の前後方向の位置決めができるからである。
【００１５】
また、上述の中継金具の水平片には上下調節ネジ穴および左右方向に長い左右長穴が設けられていて、扉駆動金具の上下左右可動片には左右調節ネジ穴が設けられていて、キッチン用昇降式吊戸棚はさらに、上下調節ネジ穴に下方から螺入され、さらに上下左右可動片に端部が当接することにより上下左右可動片の上下方向の位置決めを行う上下調節ビスと、左右長穴の任意の位置に下方から挿入され、さらに左右調節ネジ穴に螺入されることにより上下左右可動片の左右方向の位置決めを行う左右調節ビスとを含むとよい。
【００１６】
上記の構成によれば、作業者は、重量の大きい扉を外すことなく、扉の上下左右位置を調節できる。しかも、上下調節ビスおよび左右調節ビスは、いずれも、上下左右可動片の下に位置する水平片の下方から螺入または挿入されているため、ドライバなどの治具を、作業のしやすい扉の下方から、これらのビスに接近させて、これらのビスを操作することにより、簡便に、扉の上下左右方向の位置決めができるからである。
【００１７】
また、上記の中継金具は、前後可動片の下端からキャビネットの内側に向かって水平片を延伸させていて、さらに、上端からキャビネットの内側に向かって水平に延伸する支持片を有し、扉駆動金具は、固定片の下端からキャビネットの後方に向かって上下左右可動片を水平に延伸させていて、さらに、上端からキャビネットの後方に向かって水平に延伸し支持片の上に重なる搭載片を有し、上下左右可動片および搭載片の端部からは、それぞれ、下方に向かって延伸する掛止片が設けられているとよい。
【００１８】
上記の構成によれば、扉をキャビネットに取り付ける際に、水平片の上に上下左右可動をまず重ね、次に、支持片の上に搭載片を重ねることができ、これら上下２箇所の支持により、扉を、完成時の垂直な姿勢に保ちつつ、上下左右の位置決め作業が可能である。また、上下左右可動片および搭載片の端部から延伸する掛止片があるために、扉の重量によって、扉が前方に外れてしまうことが防止されている。よって、上下２箇所の支持は安定的に保持され、安全に作業ができるからである。
【００１９】
また、上述の扉は、キャビネットの前面かつ下方に配置される下扉であり、キャビネットの前面かつ上方に配置される上扉とともに、キャビネットの前面を被覆するとよい。
【００２０】
扉を昇降させて吊戸棚の容積を拡大するには、１枚で構成された扉全体を昇降させる必要はなく、上下に配置された下扉のみを昇降させれば目的は達成されるからである。
【発明の効果】
【００２１】
本発明によれば、昇降式吊戸棚を設置すべきキッチンにおいて、昇降式吊戸棚の前面扉の姿勢保持および位置決めを簡便に行うことが可能となる。
【発明を実施するための最良の形態】
【００２２】
次に添付図面を参照して本発明によるキッチン用昇降式吊戸棚の実施形態を詳細に説明する。図中、本発明に直接関係のない要素は図示を省略する。また、同様の要素は同一の参照符号によって表示する。なお、以下の実施形態に示す寸法、材料、その他具体的な数値などは、発明の理解を容易とするための例示に過ぎず、特に断る場合を除き、本発明を限定するものではない。
【００２３】
本実施形態は、キッチン用昇降式吊戸棚（以下「吊戸棚」と略称する）の昇降ラックの昇降と連動して昇降する、下扉の位置決めが簡便である点に特徴がある。しかし、ここでは、本実施形態の理解を容易にするため、まず吊戸棚の配置および駆動機構について説明し、その後で本実施形態の特徴を詳述する。
【００２４】
図１は、本実施形態のシステムキッチンと吊戸棚との位置関係を示した斜視図である。システムキッチン１００は調理に必要な火（加熱）や水を中心に調理器具がその大きさに応じて各収納庫に配されている。吊戸棚１１０は、システムキッチン１００の上方に設置されているが、高所にある扉を開閉することなく、収納部分をキッチン使用者の目の高さまで下ろし、前方に手を伸ばして被収納物を収納または取り出せるようにしたものである。
【００２５】
上記システムキッチン１００は、シンク１３０、調理スペース１４０およびコンロ１５０の概ね３つの部位で構成されている。かかるシステムキッチン１００のうち、シンク１３０および調理スペース１４０の幅にわたる領域の上方において、吊戸棚１１０は、壁５００に背面を固定支持されている。一方、火気を扱うコンロ１５０の上方には、吊戸棚１１０に隣接して、レンジフード１６０が吊戸棚同様に壁５００に固定支持されている。
【００２６】
吊戸棚１１０は、底面が開放されたキャビネット１７０と、キャビネット１７０の下方にてキャビネット１７０の内外へ昇降する昇降ラック１８０とを含む。昇降ラック１８０は収納部を有し、前面の大部分が開放されていて、食器や台所回りの物品を出し入れすることができる。
【００２７】
また、キャビネット１７０の前面には上扉１７２と下扉１７４とが配置されていて、これらがキャビネット１７０の前面を被覆している。昇降ラック１８０が下降してキャビネット１７０の下方に出現するときは、これと連動して下扉１７４が上方へ移動する。吊戸棚１１０の容積を拡大するには、１枚で構成された扉全体を昇降させる必要はなく、上下に配置された上扉１７２および下扉１７４のうち下扉１７４のみを昇降させれば目的は達成されるからである。
【００２８】
したがって、昇降ラック１８０の上端がキャビネット１７０の下端より下降せずとも、昇降ラック１８０の開放前面は使用者の目の前に出現する。かかる構成により昇降ラック１８０の可動範囲を狭くすることができ、昇降動作時間を短縮したり、昇降ラック１８０の高さ方向の寸法を大きくして容積増大を図ったりすることができる。以下に昇降ラック１８０と、下扉１７４とを連動させる駆動機構について説明する。
【００２９】
（昇降ラックの駆動機構）
図２は、昇降ラック１８０の駆動機構を示した図である。ここでは、主として昇降ラック１８０の昇降動作を説明するため吊戸棚１１０前面側から観察している。また、理解を容易にするため図２では下扉１７４の図示を省略している。
【００３０】
まず、駆動モータ１９０の回転によって、水平方向左右に駆動滑車１９２から２条の幅広索体２００が巻き出される。この幅広索体２００は、キャビネット１７０の両側板の近傍に固定設置され定滑車として機能する転向滑車２１０によって垂直方向に転向され、端部はそれぞれ昇降ラック１８０に固定され動滑車として機能する昇降滑車２１２を巻回して、キャビネット１７０の上方に固定されている。したがって、駆動モータ１９０を回転駆動することによって昇降ラック１８０を昇降することができる。ここで、索体は縄に限らず帯も含む。
【００３１】
こうして昇降ラック１８０が降下すると下扉１７４（図示せず）の背面から収納部２２０が出現する。
【００３２】
（下扉の駆動機構）
図３は、昇降ラック１８０に連動する下扉１７４の駆動機構を示した図である。かかる図３は、吊戸棚１１０を側面から観察している。ここで、下扉１７４は、図２で示した昇降ラック１８０にさらに連動して昇降する。
【００３３】
図３（ａ）は、昇降ラック１８０がキャビネット１７０に収納されている状態を示している。昇降ラック１８０と下扉１７４との間には定滑車としての下扉用滑車２５０が固定設置される。下扉用滑車２５０は、２つのリール（第１リール２５２、第２リール２５４）が連結され軸を等しくして回転自在に軸支されている。そして、第１リール２５２には昇降ラック１８０を懸垂する索体が巻回され、第２リール２５４には下扉１７４を懸垂する索体が巻回されている。
【００３４】
ここで、昇降ラック１８０と下扉１７４とをそれぞれ懸垂する第１索体２６０および第２索体２６２は、リールに対して互いに逆回転に巻回されているので、昇降ラック１８０または下扉１７４の一方が上昇すると他方が連動して下降する。
【００３５】
図３（ｂ）は、昇降ラック１８０がキャビネット１７０から抜出した状態を示している。昇降ラック１８０が昇降ガイドレール２６４に案内されつつ下降すると第１索体２６０が第１リール２５２を引っ張り、第１リール２５２と連結している第２リール２５４は回転軸２５６を中心に第１リール２５２と同一の角度分だけ回転する。そして、第２リール２５４の巻張力により第２索体２６２に接続された連結金具２４０と下扉１７４が上昇する。したがって、昇降ラック１８０の下降に応じて下扉１７４が上昇し、その移動量の和が昇降ラック１８０の開放スペースとなるので、下降ストロークを長くしなくとも昇降ラック１８０前面の開放スペースを十分に確保することが可能となる。
【００３６】
このとき、昇降ラック１８０および下扉１７４の荷重が回転軸２５６を中心に互いに逆にかかるため、第１リール２５２および第２リール２５４を回転させようとする張力が相殺され、昇降ラック１８０および下扉１７４を任意の位置に移動および維持する負荷を軽減でき、省電力、低コスト化を図ることが可能となる。
【００３７】
また、図３の下扉用滑車２５０に注目すると、第１リール２５２と第２リール２５４の索体の巻回部分の径が異なっているのが分かる。かかる構成により、昇降ラック１８０と下扉１７４との昇降ストローク比を当該吊戸棚１１０の用途に応じて任意に設定することが可能となる。
【００３８】
特に、図３では、下扉１７４を懸垂する索体が巻回された第２リール２５４の径が、昇降ラック１８０を懸垂する索体が巻回された第１リール２５２の径より小さくなっている。図３に示すような吊戸棚１１０は、下方にはある程度の占有可能空間を有し、上方には無いといった設置状況が想定されている。したがって、昇降ラック１８０はその高さＨ１分下降することが可能だが、下扉は上扉に重畳するまで、即ち昇降ラックの約半分の長さＨ２しか上昇することができない。かかる下扉１７４に対応する第２リール２５４の径と、昇降ラックに対応する第１リール２５２の径との比は、例えば、Ｈ２／Ｈ１とすることができ、Ｈ１＝４５０ｍｍ、Ｈ２＝２００ｍｍの場合、径の比を４／９とすればよい。このように第２リール２５４の径を第１リール２５２より小さくすることで、上述したストローク差を他の特別な機構を用いることなく実現することが可能となる。
【００３９】
図４は図３の下扉がキャビネットに取り付けられる様子を示す図である。第２リール２５４に巻き取られる第２索体２６２は、昇降移動可能な連結金具２４０に固定されている。
【００４０】
図５は図４の連結金具を示す四面図である。連結金具２４０は、キャビネット１７０の側面に平行な平板部２４４を有し、昇降ラック１８０の昇降に連動してキャビネット１７０の前面に沿って昇降可能である。
【００４１】
図４に示すように、連結金具２４０には、断面略「コ」の字型の中継金具２４８が取り付けられている。図６は図４に示す中継金具２４８の四面図である。中継金具２４８は、連結金具２４０の平板部２４４に対する前後方向の位置を調節しつつ平板部２４４に重ねて取り付けられる前後可動片２４６、および、水平な水平片２５８を有する。
【００４２】
図４に示すように、水平片２５８は、前後可動片２４６の下端からキャビネット１７０の内側に向かって水平に延伸していて、前後可動片２４６の上端からは、キャビネット１７０の内側に向かって、支持片２６６が水平に延伸している。
【００４３】
図７は図４の下扉１７４を裏側から見た図である。図７に示すように、下扉１７４の裏側の両端には、扉駆動金具３１０が固定されている。そして、図４に示すように、中継金具２４８には、下扉１７４に固定されている扉駆動金具３１０が取り付けられる。これにより、下扉１７４はキャビネット１７０に連結されることとなる。
【００４４】
図８は図４の扉駆動金具を示す五面図である。扉駆動金具３１０は、下扉１７４に固定される固定片３１４、および、中継金具２４８の水平片２５８に対する上下左右方向の位置を調節しつつ水平片２５８の上に重ねて取り付けられる上下左右可動片３１２を有する。
【００４５】
図４に示すように、扉駆動金具３１０には、その固定片３１４の下端からキャビネット１７０の後方に向かって上下左右可動片３１２が水平に延伸している。さらに、固定片３１４の上端からは、キャビネット１７０の後方に向かって、支持片２６６の上に重なる搭載片３１６が水平に延伸している。
【００４６】
上下左右可動片３１２および搭載片３１６の端部からは、それぞれ、下方に向かって延伸する掛止片３１８が設けられている。
【００４７】
（下扉の前後調節機構）
図９は、図４に示す連結金具２４０の平板部２４４に中継金具２４８が取り付けられた状態を示す図である。中継金具２４８の前後可動片２４６には、前後方向に長い複数の前後長穴３２０が垂直方向に並設されていて、連結金具２４０の平板部２４４には、複数の前後長穴３２０に対応する複数の前後調節ネジ穴３２２（図５）が垂直方向に並設されている。吊戸棚１１０はさらに、複数の前後長穴３２０の任意の位置に挿入され、さらに複数の前後調節ネジ穴３２２に螺入されることにより前後可動片２４６の前後方向の位置決めを行う前後調節ビス３２４を含む。
【００４８】
図９の構成によれば、前後可動片２４６による前後方向の位置調節によって、キャビネット１７０に対する下扉１７４の前後方向の位置が調節される。また、中継金具２４８という軽量な金具のみの前後位置を調節するだけで、下扉１７４の前後方向の位置決めができる。
【００４９】
なお、前後長穴３２０と前後調節ネジ穴３２２の位置関係は逆でもよい。つまり前後長穴３２０が連結金具２４０の平板部２４４に設けられ、前後調節ネジ穴３２２が中継金具２４８の前後可動片２４６に設けられていてもよい。
【００５０】
（下扉の上下左右調節機構）
図１０は、図４に示す中継金具２４８に扉駆動金具３１０が取り付けられた状態を示す図である。図１０（ｂ）の部分拡大図に示すように、中継金具２４８の水平片２５８には上下調節ネジ穴３３０および左右方向に長い左右長穴３３２が設けられていて、扉駆動金具３１０の上下左右可動片３１２には左右調節ネジ穴３３６が設けられている。
【００５１】
吊戸棚１１０はさらに、上下調節ネジ穴３３０に下方から螺入され、さらに上下左右可動片３１２に端部が当接することにより上下左右可動片３１２の上下方向の位置決めを行う上下調節ビス３３４と、左右長穴３３２の任意の位置に下方から挿入され、さらに左右調節ネジ穴３３６に螺入されることにより上下左右可動片３１２の左右方向の位置決めを行う左右調節ビス３３８とを含む。
【００５２】
図１０の構成によれば、上下左右可動片３１２による上下左右方向の位置調節によって、キャビネット１７０に対する下扉１７４の上下左右方向の位置が調節される。これらの位置調節により、下扉１７４は、キャビネット１７０に対して自由に位置決めすることが可能となっている。
【００５３】
また、作業者は、重量の大きい下扉１７４を外すことなく、下扉１７４の上下左右位置を調節できる。しかも、上下調節ビス３３４および左右調節ビス３３８は、いずれも、上下左右可動片３１２の下に位置する水平片２５８の下方から螺入または挿入されているため、ドライバなどの治具を、作業のしやすい下扉１７４の下方から、これらのビス３３４、３３８に接近させて操作することにより、簡便に、下扉１７４の上下左右方向の位置決めができる。
【００５４】
さらに、下扉１７４をキャビネット１７０に取り付ける際に、水平片２５８の上に上下左右可動をまず重ね、次に、支持片２６６の上に搭載片３１６を重ねることができ、これら上下２箇所の支持により、下扉１７４を、完成時の垂直な姿勢に保ちつつ、上下左右の位置決め作業が可能である。
【００５５】
加えて、上下左右可動片３１２および搭載片３１６の端部から延伸する掛止片３１８があるために、下扉１７４の重量によって、下扉１７４が前方に外れてしまうことが防止されている。よって、上下２箇所の支持は安定的に保持され、安全に作業ができる。
【００５６】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、システムキッチンの上方の壁面に設けられる吊戸棚であって、内部に昇降ラックを収納するキッチン用昇降式吊戸棚に適用可能である。
【図面の簡単な説明】
【００５８】
【図１】本実施形態のシステムキッチンと吊戸棚との位置関係を示した斜視図である。
【図２】図１の昇降ラックの駆動機構を示した図である。
【図３】図２の昇降ラックに連動する下扉の駆動機構を示した図である。
【図４】図３の下扉がキャビネットに取り付けられる様子を示す図である。
【図５】図４の連結金具を示す四面図である。
【図６】図４の中継金具の四面図である。
【図７】図４の下扉を裏側から見た図である。
【図８】図４の扉駆動金具を示す五面図である。
【図９】図４の連結金具の平板部に中継金具が取り付けられた状態を示す図である。
【図１０】図４の中継金具に扉駆動金具が取り付けられた状態を示す図である。
【符号の説明】
【００５９】
１００  …システムキッチン
１１０  …吊戸棚
１７０  …キャビネット
１７４  …下扉
１８０  …昇降ラック
２４０  …連結金具
２４４  …平板部
２４６  …前後可動片
２４８  …中継金具
２５８  …水平片
２６６  …支持片
３１０  …扉駆動金具
３１２  …上下左右可動片
３１４  …固定片
３１６  …搭載片
３１８  …掛止片
３２０  …前後長穴
３２２  …前後調節ネジ穴
３２４  …前後調節ビス
３３０  …上下調節ネジ穴
３３２  …左右長穴
３３４  …上下調節ビス
３３６  …左右調節ネジ穴
３３８  …左右調節ビス
【図１】
2009011757.tif 000003
【図２】
2009011757.tif 000004
【図３】
2009011757.tif 000005
【図４】
2009011757.tif 000006
【図５】
2009011757.tif 000007
【図６】
2009011757.tif 000008
【図７】
2009011757.tif 000009
【図８】
2009011757.tif 000010
【図９】
2009011757.tif 000011
【図１０】
2009011757.tif 000012